(57)【特許請求の範囲】
【請求項１】
ライン状の発光領域を形成する光源装置と、この光源装置から発せられた光を画像読み取り領域に導くための照明用光路を内部に形成したケースと、上記画像読み取り領域に配置された原稿から反射してきた光を列状に配された複数の受光素子上に集束させて上記原稿の画像を結像させる複数の結像用レンズを有するレンズアレイと、を具備しており、上記照明用光路の長手方向端部の壁面の少なくとも一部は、上記光源装置からこの照明用光路の長手方向端部に進行してきた光を上記画像読み取り領域に向けて反射可能な光反射面とされている画像読み取り装置であって、
上記ケースには、このケースとは別体に形成されているとともに、外面の少なくとも一部分が白色とされた光反射部材が組み付けられており、かつ、上記光反射部材には、上記照明用光路が延びる方向と交差する方向に延びる側壁部が形成され、この側壁部の白色の側面が上記光反射面とされている一方、
上記レンズアレイは、上記ケースに形成された溝部に嵌入されているとともに、上記光反射部材の上記側壁部には、上記レンズアレイの長手方向両端部を下方へ押圧して上記レンズアレイが上記溝部から脱出することを防止する押圧部が一体形成されていることを特徴とする、画像読み取り装置。
【請求項２】
上記光反射面は、白色の面である、請求項１に記載の画像読み取り装置。
【請求項３】
上記照明用光路は、上記ケースに形成された孔部内に上記光反射部材が収容されていることにより、上記光反射部材の長手方向に延びる白色の一側面とこれに対向する上記孔部の白色の一側壁面とによって挟まれた空間部として形成されている、請求項１または２に記載の画像読み取り装置。
【請求項４】
上記ケースは白色の樹脂製である一方、上記レンズアレイから上記受光素子への光の入射を許容し、かつ上記複数の受光素子の周囲を囲む光反射防止部材がさらに具備されている、請求項１ないし３のいずれかに記載の画像読み取り装置。
【発明の詳細な説明】
【０００１】
【技術分野】
本願発明は、ファクシミリ装置や各種のスキャナ装置に組み込まれるなどして原稿画像を読み取るのに用いられる画像読み取り装置に関する。
【０００２】
【従来の技術】
従来の画像読み取り装置の一般的な構成を図６に示す。この画像読み取り装置は、合成樹脂製のケース９０に、透明板９７、複数のＬＥＤ光源９１を搭載した基板９２、複数の結像用レンズを一連に繋げたレンズアレイ９３、および複数の受光素子９４を搭載した基板９５を組み付けた構成とされている。上記複数のＬＥＤ光源９１は、透明板９７の表面のライン状の画像読み取り領域Ｓａの全長域に光を照射できるように、主走査方向に適当な間隔を隔ててライン状に並べられている。上記ケース９０は、その全体が黒色の樹脂製とされている。
【０００３】
上記複数のＬＥＤ光源９１から発せられた光は、ケース９０に形成された照明用光路９６内を進行して画像読み取り領域Ｓａに導かれる。画像読み取り領域Ｓａに導かれた光がその領域に位置する原稿Ｄによって反射されると、その光はレンズアレイ９３の結像用レンズを介して複数の受光素子９４によって受光され、これら複数の受光素子９４からは受光量に見合った出力レベルの画像信号が出力される。上記ケース９０は、その全体が黒色の樹脂製であるために、上記複数の受光素子９４の周囲の壁面９０ａを黒色にでき、結像用レンズを透過した光が上記複数の受光素子９４の周囲で散乱反射しないようにできる。散乱反射した光が上記複数の受光素子９４に入射すると読み取り画像の質が悪くなるが、上記画像読み取り装置では、そのような不具合を解消することができる。
【０００４】
【発明が解決しようとする課題】
しかしながら、上記従来の画像読み取り装置では、次のような不具合を生じていた。
【０００５】
すなわち、上記従来の画像読み取り装置では、複数のＬＥＤ光源９１から画像読み取り領域Ｓａへの照射光量の分布が各所均一にはならず、図７に示すように、画像読み取り領域Ｓａの長手方向端部への照射光量がその長手方向中央部への照射光量と比べてかなり少なくなる現象を生じていた。画像読み取り領域Ｓａに照射される光は、本来ならば、複数のＬＥＤ光源９１から画像読み取り領域Ｓａに向けて直接進行してきた光のみならず、ケース９０の照明用光路９６の壁部によって種々の方向への反射を繰り返しながら進行してきた光も含まれるはずであるが、従来では、ケース９０の全体が光を吸収する黒色の樹脂製であるために、照明用光路９６の壁部によって反射されてから画像読み取り領域Ｓａに到達する光は殆どない。したがって、画像読み取り領域Ｓａへの照射光量の分布は、複数のＬＥＤ光源９１の光の出力分布に対応したものとなって、画像読み取り領域Ｓａの端部と中央部との照射光量の差はかなり大きくなっていたのである。ところが、このような照射光量の差が生じたのでは、たとえば真っ白な原稿を読み取る場合であっても、複数の受光素子９４の受光量にはバラツキが生じてしまい、原稿画像を忠実に読み取ることができなくなる。このような不具合は、複数のＬＥＤ光源９１に代えて、たとえば一定長さの発光面を有する冷陰極管を光源として用いる場合においても同様に生じる。
【０００６】
このような不具合を解消するには、複数のＬＥＤ光源９１の列の長さを画像読み取り幅よりもかなり長めに形成すればよい。ところが、このような手段を採用したのでは、画像読み取り装置の主走査方向のサイズが大きくなってしまい、適切でない。このため、従来では、複数のＬＥＤ光源９１の列の長さを画像読み取り幅と略同等の長さに設定した上で、複数の受光素子９４の受光量のバラツキを補正するための画像処理を行っていたのが実情である。ところが、このような画像処理を行うにしても、再現性に優れた適切な読み取り画像を得るには、画像読み取り領域Ｓａの照射光量分布をできる限り均一にすることが要請される。
【０００７】
本願発明は、このような事情のもとで考え出されたものであって、ライン状の画像読み取り領域への照射光量がその長手方向端部と長手方向中央部との間で大きな差が生じることを簡易な手段によって適切に防止し、読み取り画像の質を高めることができるようにすることをその課題としている。
【０００８】
【発明の開示】
上記の課題を解決するため、本願発明では、次の技術的手段を講じている。
【０００９】
本願発明によって提供される画像読み取り装置は、ライン状の発光領域を形成する光源装置と、この光源装置から発せられた光を画像読み取り領域に導くための照明用光路を内部に形成したケースと、上記画像読み取り領域に配置された原稿から反射してきた光を列状に配された複数の受光素子上に集束させて上記原稿の画像を結像させる複数の結像用レンズを有するレンズアレイと、を具備しており、上記照明用光路の長手方向端部の壁面の少なくとも一部は、上記光源装置からこの照明用光路の長手方向端部に進行してきた光を上記画像読み取り領域に向けて反射可能な光反射面とされている画像読み取り装置であって、上記ケースには、このケースとは別体に形成されているとともに、外面の少なくとも一部分が白色とされた光反射部材が組み付けられており、かつ、上記光反射部材には、上記照明用光路が延びる方向と交差する方向に延びる側壁部が形成され、この側壁部の白色の側面が上記光反射面とされている一方、上記レンズアレイは、上記ケースに形成された溝部に嵌入されているとともに、上記光反射部材の上記側壁部には、上記レンズアレイの長手方向両端部を下方へ押圧して上記レンズアレイが上記溝部から脱出することを防止する押圧部が一体形成されていることに特徴づけられる。
【００１０】
本願発明では、光源装置から発せられた光を照明用光路を介して画像読み取り領域に向けて進行させる場合に、上記照明用光路の長手方向端部に進行した光については、光反射面を利用して高い反射率で反射させることにより、その光を画像読み取り領域に進行させることができる。そして、画像読み取り領域の長手方向各所のうち、上記光反射面に近い長手方向端部への照射光量を増やすことが可能となる。したがって、従来とは異なり、画像読み取り領域の長手方向端部の照射光量がその長手方向中央部の照射光量と比較してかなり少なくなることを防止することができ、画像読み取り領域の照度の均一化を図ることができる。その結果、読み取り画像の質を高めることができる。むろん、本願発明では、光源装置のライン状の発光領域の長さを画像読み取り幅よりもかなり長めにする必要もないため、画像読み取り装置全体の小型化を図るのにも好都合となる。
【００１５】
本願発明ではまた、上記ケースには、このケースとは別体に形成されているとともに、外面の少なくとも一部分が白色とされた光反射部材が組み付けられており、かつ上記光反射部材には、上記照明用光路が延びる方向と交差する方向に延びる側壁部が形成され、この側壁部の白色の側面が上記光反射面とされているので、ケースとは別体に形成された光反射部材を利用することによって、光反射面を容易に形成することができる。
【００１７】
本願発明ではまた、上記レンズアレイは、上記ケースに形成された溝部に嵌入されているとともに、上記光反射部材の上記側壁部には、上記レンズアレイの長手方向両端部を下方へ押圧して上記レンズアレイが上記溝部から脱出することを防止する押圧部が一体形成されているので、光反射部材をレンズアレイのいわゆる押さえ部材としても兼用することができるために、全体の部品点数の増加を抑制しつつ、レンズアレイの適切な取付け保持が行える。
【００１９】
本願発明の他の好ましい実施の形態では、上記照明用光路は、上記ケースに形成された孔部内に上記光反射部材が収容されていることにより、上記光反射部材の長手方向に延びる白色の一側面とこれに対向する上記孔部の白色の一側壁面とによって挟まれた空間部として形成されている。
【００２０】
このような構成によれば、照明用光路が白色の面によって挟まれた空間部とされているために、光源装置から発せられた光をそれら白色の面によって高い反射率で反射させながら、画像読み取り領域に効率良く導くことができる。したがって、発光量の大きな高価な光源装置を用いたり、あるいは光源数を多くするといった必要性を極力無くし、画像読み取り装置の製造コストやランニングコストの低減化を図りつつ、画像読み取り領域への照射光量を多くすることができる。また、光反射部材の断面形状を工夫することにより、照明用光路の全体の断面形状を、画像読み取り領域への光の照射効率を高めるのに好都合となる形状にすることも簡単に行えることとなる。
【００２１】
本願発明の他の好ましい実施の形態では、上記ケースは白色の樹脂製である一方、上記レンズアレイから上記受光素子への光の入射を許容し、かつ上記複数の受光素子の周囲を囲む光反射防止部材がさらに具備されている。
【００２２】
このような構成によれば、ケースに比較的複雑な形状の照明用光路を形成する場合であっても、ケースを樹脂成形することによって、上記照明用光路の側壁の全面を光反射率の高い白色にすることが簡単に行える。また、画像読み取り領域から反射してきた光を複数の受光素子で受光するときに、その光が複数の受光素子の周囲で散乱反射することも防止することができる。すなわち、ケースを白色の樹脂製にした場合には、複数の受光素子の周囲の壁面も白色となってしまうため、本来ならば、画像読み取り領域から複数の受光素子に向けて進行した光は上記白色の壁面によって散乱反射し、これが読み取り画像の質を低下させる要因となる場合がある。ところが、上記構成によれば、そのような虞れを適切に防止することもできる。
【００２３】
本願発明のその他の特徴および利点については、以下の発明の実施の形態の説明から、より明らかになるであろう。
【００２４】
【発明の実施の形態】
以下、本願発明の好ましい実施の形態について、図面を参照しつつ具体的に説明する。
【００２５】
図１は、本願発明に係る画像読み取り装置の一例を示す断面図である。図２は、図３のII−II断面図である。図３は、図１のIII −III 断面図である。図４は、図１のIV−IV断面図である。図５は、図１ないし図４に示す画像読み取り装置の分解斜視図である。
【００２６】
本実施形態の画像読み取り装置Ａは、いわゆる密着型イメージセンサとして構成されたものである。図１において、この画像読み取り装置Ａは、ケース１、透明板２、光反射部材８、セルフォックレンズアレイ３、光反射防止部材４、基板５、複数のＬＥＤチップ６、複数の受光素子７、および１または複数のアタッチメント５１を具備して構成されている。
【００２７】
上記ケース１は、図５によく表れているように、一定方向に延びた形態を有している。このケース１の材質は、たとえばポリカーボネートに酸化チタンを含有させた合成樹脂であり、その樹脂の色彩は白色である。したがって、このケース１の各所は全て白色である。このケース１の表面の光反射率は、たとえば９０％〜９８％程度の高い値である。このケース１には、このケース１の長手方向に延び、かつこのケース１の厚み方向に貫通した孔部１０が形成されている。
【００２８】
上記透明板２は、たとえば合成樹脂製であり、平面視における全体の概略形状が細長矩形状に形成されている。この透明板２の長手方向に延びる２つの側縁部２０ａ，２０ｂには、複数の係合用突起２１ａ，２１ｂが適当な間隔を隔てて設けられている。また、この透明板２の裏面（下面）には下向きに突出した突起部２２がこの透明板２の長手方向に延びて一連に形成されている。上記突起部２２は、後述するようにセルフォックレンズアレイ３を押しつけるのに役立つ。図１によく表れているように、この透明板２は、ケース１の孔部１０の上部開口部を閉塞するように、上記ケース１の上部に抜け止めが図られた状態に装着されている。この透明板２をケース１に装着するための手段としては、上記複数の係合用突起２１ａをケース１の上部に設けられた複数の凸部１１ａに対してその下方から係合させるとともに、上記複数の係合用突起２１ｂをケース１の上部に設けられた凹入部１１ｂに係入させる手段が採用されている。上記ケース１の上部に対してその短手方向の幅を広げるように力を加えてその部分を弾性変形させれば、上記透明板２をケース１の上部に適切に装着することが可能である。上記透明板２の表面（上面）に対向する位置にはプラテンローラＰが配置され、このプラテンローラＰによって原稿Ｄが上記透明板２の表面に沿って移送される。
【００２９】
上記セルフォックレンズアレイ３は、合成樹脂製などの細長なブロック状のホルダ３０に結像用の多数のセルフォックレンズ３１を列状に並べて保持させたものである。このセルフォックレンズアレイ３は、上記ケース１の上面開口状の溝部１２に嵌め込まれて上記透明板２の下方に配置されている。このセルフォックレンズアレイ３の長手方向中間領域の上面部には、上記透明板２の突起部２２が当接している。これにより、上記セルフォックレンズアレイ３は、上方へ浮き上がらないようにケース１に組み付けられている。むろん、上記突起部２２は、セルフォックレンズ３１を覆い隠さないようにホルダ３０の上面の一側縁部のみに当接している。上記透明板２の表面領域のうち、上記セルフォックレンズアレイ３の直上領域が画像読み取り領域Ｓであり、この画像読み取り領域Ｓは上記セルフォックレンズアレイ３と同方向に延びるライン状の領域である。
【００３０】
上記複数の受光素子７は、光電変換機能を有するものであり、画像読み取り領域Ｓからセルフォックレンズアレイ３の複数のレンズ３１を通過してきた光を受光すると、その受光量に対応した出力レベルの画像信号を出力するものである。これら複数の受光素子７は、上記基板５の上向きの表面に上記基板５の長手方向に沿って列状に並べて実装されている。上記ケース１のセルフォックレンズアレイ３の装着位置の下方には、セルフォックレンズアレイ３と同方向に延びる底部開口状の空間室１３が形成されている。上記複数の受光素子７は、基板５がケース１の底面部に組付けられることによって上記空間室１３内に配置されている。上記基板５は、上記アタッチメント５１によって上記ケース１の底部への組付け保持がなされている。上記アタッチメント５１は、ケース１の外側面に形成された凸部１４，１４に掛止されることにより、上記基板５の底面部を常時上方へ押圧するように構成されたものである。
【００３１】
上記光反射防止部材４は、たとえば黒色のＡＢＳ樹脂あるいはポリカーボネイト製であり、その各所の表面は光の反射率が低いものとなっている。この光反射防止部材４は、上記複数の受光素子７の配列長さと略同等またはそれ以上の長さを有しており、その長手方向の一般断面形状は下向きに開口した略コ字状である。この光反射防止部材４は、上記複数の受光素子７の周囲を囲むようにして上記空間室１３に嵌入されている。ただし、この光反射防止部材４には、セルフォックレンズアレイ３を通過してきた光を複数の受光素子７に向けて進行可能とするスリット４１が設けられている。ケース１に対する光反射防止部材４の取付けは、たとえばこの光反射防止部材４の上面部に複数設けた突起部４０を空間室１３の上部に連設した凹部１５に嵌合させることによって行われている。
【００３２】
この画像読み取り装置Ａの光源装置は、上記複数のＬＥＤチップ６を具備して構成されている。上記複数のＬＥＤチップ６は、上記基板５の表面、すなわち上記基板５の複数の受光素子７が実装されている面と同一面に実装されている。これら複数のＬＥＤチップ６は、主走査方向に延びるライン状の発光領域を形成できるように、基板５の長手方向に所定ピッチで列状に並べられている。
【００３３】
上記基板５は、たとえばセラミック製あるいはエポキシ樹脂製である。この基板５の表面には、上記複数のＬＥＤチップ６や複数の受光素子７への電力供給や各種の信号の入出力を行うための配線パターン（図示略）が形成されており、図５によく表れているように、コネクタ５０を介して外部機器との配線接続が行えるようになっている。図面上は省略しているが、上記基板５の表面のうち、上記複数のＬＥＤチップ６が実装されている周辺領域は、光の反射率が高い白色とされており、それ以外の領域は光の反射率が低い黒色とされている。図１において、空間室１３に対向する基板５の表面部分はワイヤボンディング部分を除き黒色領域である。
【００３４】
上記光反射部材８は、上記ケース１と同様に、たとえばポリカーボネートに酸化チタンを含有させた白色の樹脂製であり、各部の表面は光の反射率が高い白色である。図５によく表れているように、この光反射部材８の長手方向両端部には、この光反射部材８が延びる方向と直交する方向に突出した側壁部８０，８０が形成されている。上記光反射部材８は上記ケース１の孔部１０内に収容されており、図２によく表れているように、上記光反射部材８の長手方向端部の下部８ａがケース１の孔部１０の長手方向両端の下部に設けられた狭幅部分１０ａに嵌入することによって上記光反射部材８の位置決めが図られている。
【００３５】
この画像読み取り装置Ａでは、上記ケース１の孔部１０のうち、上記光反射部材８が収容された残余の空間部が照明用光路１６とされている。図１において、セルフォックレンズアレイ３の上面とその直上に位置する透明板２の下面との間の空間領域も、照明用光路１６の一部とされている。上記照明用光路１６のケース１の長手方向に延びる壁面１６ａ，１６ｂは、上記光反射部材８の一側面と上記孔部１０の一側壁面とによって形成されている。この照明用光路１６の下部に上記複数のＬＥＤチップ６が配置されている。この照明用光路１６は、複数のＬＥＤチップ６から発せられた光を画像読み取り領域Ｓに導くための部分であるため、この照明用光路１６の壁面１６ａ，１６ｂは、複数のＬＥＤチップ６から発せられた光を反射させることによって画像読み取り領域Ｓに向けて進行させることができるように少なくともそれらの一部は傾斜面とされている。上記壁面１６ａ，１６ｂは、ともに光反射率が高い白色面のままである。上記照明用光路１６に対向する基板５の表面領域も白色である。
【００３６】
図３によく表れているように、上記光反射部材８の各側壁部８０は、上記照明用光路１６の長手方向端部を規定するように設けられており、照明用光路１６に対面する上記各側壁部８０の一側面の全体が光反射面８１とされている。上記照明用光路１６の長手方向両端部を規定するケース１の白色の内壁面１７，１７は、上記光反射面８１と略面一状に形成されており、これらの内壁面１７，１７も上記光反射面８１，８１の一部とされている。図２および図４によく表れているように、上記光反射部材８の各側壁部８０の先端には、セルフォックレンズアレイ３の長手方向端部と透明板２の長手方向端部との間に進入し、かつセルフォックレンズアレイ３の長手方向両端部を下方へ押さえつける押圧部８０ａが形成されている。また、このように上記各側壁部８０に形成した押圧部８０ａがセルフォックレンズアレイ３の上方に配置されていることにより、上記光反射面８１の一部分である上記押圧部８０ａの側面８１ａは、上記セルフォックレンズアレイ３と透明板２との間において照明用光路１６に対面している。
【００３７】
次に、上記画像読み取り装置Ａの作用について説明する。
【００３８】
まず、図１において、複数のＬＥＤチップ６から発せられた光のうち、その一部は照明用光路１６内を画像読み取り領域Ｓに向けて直接進行する。また、それ以外の大部分の光は、照明用光路１６の長手方向に延びる白色の壁面１６ａ，１６ｂによって高い反射率で反射されながら画像読み取り領域Ｓに効率良く照射される。一方、図３に示すように、上記複数のＬＥＤチップ６から発せられる光は照明用光路１６の長手方向にも広がりながら進行する。照明用光路１６の長手方向両端部に向けて進行した光は、白色の光反射面８１，８１によって高い反射率で反射され、その反射光の一部は画像読み取り領域Ｓに到達する。この場合、上記光反射面８１，８１の上部およびその近傍で反射された光の多くは、画像読み取り領域Ｓの長手方向両端部に向けて進行する。とくに、図２および図４に示したように、上記各光反射面８１の一部分８１ａは、セルフォックレンズアレイ３よりも上方に位置して画像読み取り領域Ｓに接近しているために、上記一部分８１ａに到達した光は画像読み取り領域Ｓの長手方向端部に向けて効率良く反射される。したがって、画像読み取り領域Ｓの長手方向両端部への光の照射量を増やすことができ、画像読み取り領域Ｓの長手方向端部の照度が長手方向中央部の照度と比較して極端に低くなることを適切に解消することが可能となる。
【００３９】
また、上記画像読み取り装置Ａでは、透明板２の下面には光反射部材８の上部によって光の照射が防止された遮光領域Ｌａが形成されている。この遮光領域Ｌａは、透明板２の各部のうち、画像読み取り領域Ｓからかなり離れた部分に光が無駄に照射されることを防止する役割を果たす。したがって、画像読み取り領域Ｓへの光の照射効率をより高めることが可能となる。
【００４０】
上記画像読み取り領域Ｓに進行した光は、この画像読み取り領域Ｓに位置する原稿Ｄの表面によって反射され、その後セルフォックレンズアレイ３の各レンズ３１を透過して空間室１３内に進行してから複数の受光素子７によって受光される。この場合、上記複数の受光素子７の周囲は光反射率の低い黒色の光反射防止部材４によって覆われているために、上記複数の受光素子７の周囲において原稿Ｄからの反射光が散乱反射することが抑制され、散乱光が各受光素子７内に入射することを防止することが可能となる。また、既述したとおり、この画像読み取り装置Ａでは、画像読み取り領域Ｓの照度を高めつつ、その均一化を図ることもできるために、受光素子７の受光量を多くし、また各受光素子７の受光量を原稿画像の濃淡に正確に対応したものにすることもできる。その結果、この画像読み取り装置Ａでは、質の高い読み取り画像を得ることができる。
【００４１】
本願発明に係る画像読み取り装置の各部の具体的な構成は、上述の実施形態に限定されず、種々に設計変更自在である。
【００４２】
たとえば、上記実施形態では、ケース１とは別体に形成された光反射部材８を用いて光反射面８１を構成しているが、本願発明はこれに限定されない。本願発明では、ケース１の一部を光反射面として形成してもかまわない。また、上記実施形態では、照明用光路１６の長手方向両端部のそれぞれの壁面を光反射面８１，８１としているが、画像読み取り領域の長手方向一端部の照度のみを高めたい場合には、照明用光路１６の長手方向一端部の壁面のみを光反射面とすればよく、このような構成も本願発明の技術的範囲に属する。
【００４３】
さらに、上記実施形態では、照明用光路１６の長手方向端部の壁面の全面を光の反射率が高い光反射面としているが、本願発明はやはりこれに限定されない。本願発明では、照明用光路の長手方向端部の一部分のみを光反射面とし、この光反射面によって反射される光が画像読み取り領域の端部に効率良く進行するようにしてもかまわない。ただし、照明用光路の長手方向端部の一部分のみを光反射面とする場合には、その光反射面をできる限り画像読み取り領域に接近させた位置に設けることが望ましい。また、本願発明では、光反射面を白色面にすることが好ましいが、やはりこれに限定されず、たとえば光を高い反射率で反射可能な金属の蒸着面などとしてもかまわない。さらに、照明用光路の他の壁面についても、画像読み取り領域への照射光量を高める観点からすれば、その色彩を白色にすることが好ましいが、やはり本願発明はこれに限定されず、他の色彩にしてもかまわない。
【００４４】
本願発明は、光源装置の構成も複数のＬＥＤチップを用いて構成されたものに限定されない。たとえば、一定長さの発光面を有する冷陰極管を用いて構成してもかまわず、要は、ライン状の発光領域を形成し得る光源装置であればよい。本願発明に係る画像読み取り装置は、いわゆる密着型イメージセンサと称されるタイプの画像読み取り装置として構成されるに限らず、たとえば原稿を配置するための透明な原稿載置板の下方において光源や受光素子などが組み込まれたケースを副走査方向に移動させるいわゆるフラットベッド型イメージセンサと称されるタイプのものとして構成することもできる。
【図面の簡単な説明】
【図１】本願発明に係る画像読み取り装置の一例を示す断面図である。
【図２】図３のII−II断面図である。
【図３】図１のIII −III 断面図である。
【図４】図１のIV−IV断面図である。
【図５】図１ないし図４に示す画像読み取り装置の分解斜視図である。
【図６】従来の画像読み取り装置の一例を示す断面図である。
【図７】従来の画像読み取り装置における照射光量の分布を示す説明図である。
【符号の説明】
Ａ  画像読み取り装置
Ｓ  画像読み取り領域
Ｄ  原稿
１  ケース
２  透明板
３  セルフォックレンズアレイ
４  光反射防止部材
５  基板
６  ＬＥＤチップ
７  受光素子
８  光反射部材
１０  孔部
１２  溝部
１６  照明用光路
３０  ホルダ
３１  セルフォックレンズ
８０  側壁部
８１，８１ａ    光反射面
【図１】
0003810928.tif 000002
【図２】
0003810928.tif 000003
【図３】
0003810928.tif 000004
【図４】
0003810928.tif 000005
【図５】
0003810928.tif 000006
【図６】
0003810928.tif 000007
【図７】
0003810928.tif 000008